(57)【要約】【課題】放送受信アンテナにて受信された放送信号を一旦ミリ波帯に周波数変換して端末側に無線伝送するミリ波送受信システムにおいて、ミリ波送信装置内での放送信号の信号レベルを、放送信号を用いることなく安定化させることによって、システムのコストアップを招くことなく放送信号の伝送品質を向上する。【解決手段】ＢＳ／ＣＳ−ＩＦ信号をミリ波帯にアップコンバートして無線送信するミリ波送信装置３０と、その送信電波を受信してダウンコンバートすることでＢＳ／ＣＳ−ＩＦ信号を復元するミリ波受信装置５０とを備えたシステムにおいて、ＢＳ／ＣＳアンテナのコンバータ２０にパイロット信号発生回路２８を設けて、端末側にパイロット信号を伝送するようにし、ミリ波送信装置３０及びミリ波受信装置５０には、このパイロット信号に基づき増幅回路３３、５７の利得を自動調整するＡＧＣ回路４６、６６を設ける。【選択図】  図２
2004235758.tif 000002
【特許請求の範囲】
【請求項１】
放送電波を受信する放送受信アンテナと、
該放送受信アンテナに伝送線を介して接続され、前記放送受信アンテナから出力された放送信号を第１増幅回路にて増幅した後、ミリ波帯へアップコンバートし、該アップコンバート後のミリ波信号をミリ波送信アンテナから放射するミリ波送信装置と、
前記ミリ波送信アンテナからの送信電波をミリ波受信アンテナにて受信し、該受信信号をダウンコンバートすることにより前記放送受信アンテナから出力された元の放送信号を復元し、該復元した放送信号を受信端末側に出力するミリ波受信装置と、
を備えたミリ波送受信システムであって、
前記放送信号とほぼ同じ周波数帯で一定周波数のパイロット信号を発生し、該パイロット信号を、前記放送受信アンテナ内部または該放送受信アンテナから前記ミリ波送信装置に至る伝送路で前記放送信号に重畳するパイロット信号発生手段を備えると共に、
前記ミリ波送信装置に、前記放送信号に重畳されたパイロット信号の信号レベルに基づき前記第１増幅回路の利得を自動調整する利得調整手段を設けたこと、
を特徴とするミリ波送受信システム。
【請求項２】
前記ミリ波受信装置は、前記ダウンコンバート後の放送信号を増幅する第２増幅回路と、前記ダウンコンバート後の放送信号に重畳されたパイロット信号の信号レベルに基づき、該第２増幅回路の利得を自動調整する利得調整手段と、
を備えたことを特徴とする請求項１記載のミリ波送受信システム。
【請求項３】
前記ミリ波受信装置は、前記ダウンコンバート後の放送信号に重畳されたパイロット信号の信号レベルを報知する報知手段を備えたことを特徴とする請求項１または請求項２記載のミリ波送受信システム。
【請求項４】
前記放送受信アンテナは、衛星放送の放送電波を受信し、受信信号をコンバータにて中間周波信号に周波数変換して出力する衛星放送受信アンテナであり、
前記パイロット信号発生手段は、該衛星放送受信アンテナのコンバータに内蔵されていることを特徴とする請求項１〜請求項３何れか記載のミリ波送受信システム。
【請求項５】
放送電波を受信する放送受信アンテナと、
該放送受信アンテナに伝送線を介して接続され、前記放送受信アンテナから出力された放送信号を第１増幅回路にて増幅した後、ミリ波帯へアップコンバートし、該アップコンバート後のミリ波信号をミリ波送信アンテナから放射するミリ波送信装置と、
前記ミリ波送信アンテナからの送信電波をミリ波受信アンテナにて受信し、該受信信号をダウンコンバートすることにより前記放送受信アンテナから出力された元の放送信号を復元し、該復元した放送信号を受信端末側に出力するミリ波受信装置と、
を備えたミリ波送受信システムであって、
前記ミリ波送信装置に、
前記放送信号とほぼ同じ周波数帯で一定周波数のパイロット信号を発生し、該パイロット信号を、前記第１増幅回路にて増幅される前の放送信号に重畳するパイロット信号発生手段と、
前記第１増幅回路の利得を、前記放送信号に重畳されたパイロット信号の信号レベルに基づき自動調整する利得調整手段と、
を設けたことを特徴とするミリ波送受信システム。
【請求項６】
前記ミリ波送信装置及び前記ミリ波受信装置の少なくとも一方は、前記放送信号に重畳されたパイロット信号を用いて、前記アップコンバート又はダウンコンバートに用いる信号の周波数を安定化させることを特徴とする請求項１〜請求項５何れか記載のミリ波送受信システム。
【請求項７】
放送電波を受信する放送受信アンテナから伝送線を介して伝送されてくる放送信号を第１増幅回路にて増幅した後、ミリ波帯へアップコンバートし、該アップコンバート後の信号をミリ波送信アンテナから放射するミリ波送信装置であって、
前記放送信号に重畳されたパイロット信号の信号レベルに基づき、前記第１増幅回路の利得を自動調整する利得調整手段を備えたことを特徴とするミリ波送信装置。
【請求項８】
前記放送信号とほぼ同じ周波数帯で一定周波数のパイロット信号を発生し、該パイロット信号を前記第１増幅回路にて増幅される前の放送信号に重畳するパイロット信号発生手段を備えたことを特徴とする請求項７記載のミリ波送信装置。
【請求項９】
前記放送信号に重畳されたパイロット信号を用いて、前記アップコンバートに用いる信号の周波数を安定化させる周波数安定化手段を備えたことを特徴とする請求項７又は請求項８記載のミリ波送信装置。
【請求項１０】
放送電波を受信する放送受信アンテナから出力された放送信号をミリ波帯へアップコンバートして無線送信するミリ波送信装置からの送信電波を、ミリ波受信アンテナにて受信し、該受信信号をダウンコンバートすることにより前記放送受信アンテナから出力された元の放送信号を復元し、該復元した放送信号を第２増幅回路にて増幅して受信端末側に出力するミリ波受信装置であって、
前記放送信号に重畳されたパイロット信号の信号レベルに基づき、前記第２増幅回路の利得を自動調整する利得調整手段を備えたことを特徴とするミリ波受信装置。
【請求項１１】
放送電波を受信する放送受信アンテナから出力された放送信号をミリ波帯へアップコンバートして無線送信するミリ波送信装置からの送信電波を、ミリ波受信アンテナにて受信し、該受信信号をダウンコンバートすることにより前記放送受信アンテナから出力された元の放送信号を復元して受信端末側に出力するミリ波受信装置であって、
前記放送信号に重畳されたパイロット信号の信号レベルを報知する報知手段を備えたことを特徴とするミリ波受信装置。
【請求項１２】
放送電波を受信する放送受信アンテナから出力された放送信号をミリ波帯へアップコンバートして無線送信するミリ波送信装置からの送信電波を、ミリ波受信アンテナにて受信し、該受信信号をダウンコンバートすることにより前記放送受信アンテナから出力された元の放送信号を復元して受信端末側に出力するミリ波受信装置であって、
前記放送信号に重畳されたパイロット信号を用いて、前記ダウンコンバートに用いる信号の周波数を安定化させる周波数安定化手段を備えたことを特徴とするミリ波受信装置。
【請求項１３】
衛星放送の放送電波を受信し、該受信信号をコンバータにて中間周波信号に変換して出力する衛星放送受信アンテナであって、
前記コンバータには、前記中間周波信号とほぼ同じ周波数帯で一定周波数のパイロット信号を発生し、該パイロット信号を前記中間周波信号に重畳するパイロット信号発生手段が内蔵されていることを特徴とする衛星放送受信アンテナ。
【発明の詳細な説明】
【０００１】
【発明の属する技術分野】
本発明は、放送電波を受信する放送受信アンテナから受信端末に至る放送信号の伝送系で、放送受信アンテナから出力された放送信号を一旦ミリ波帯に周波数変換することにより、放送信号をミリ波を利用した無線にて中継するミリ波送受信システム、および、このシステムを構築するのに好適なミリ波送信装置、ミリ波受信装置、並びに、衛星放送受信アンテナに関する。
【０００２】
【従来の技術】
従来より、衛星放送や地上波放送などの放送電波を受信する放送受信アンテナからの受信信号を受信端末に伝送するシステムの一つとして、放送受信アンテナにて受信された放送信号をミリ波帯にアップコンバートしてミリ波送信アンテナから送信するミリ波送信装置と、このミリ波送信装置からの送信電波をミリ波受信アンテナにて受信し、その受信信号をダウンコンバートすることにより、放送受信アンテナから出力された元の受信信号を復元して、受信端末側に出力するミリ波受信装置と、を備えたミリ波送受信システムが知られている（例えば特許文献１参照）。
【０００３】
【特許文献１】
特開２０００−３５３９７１号公報
【０００４】
【発明が解決しようとする課題】
ところで、この種のシステムにおいて、放送受信アンテナにて受信された放送信号を、信号劣化なく安定して伝送できるようにするためには、ミリ波送信装置を構成する部品の性能のバラツキや温度変化に対する性能の変化があっても、ミリ波送信装置から一定の送信電力で、かつ所要の非線形歪み量以下のミリ波が送信される必要がある。
【０００５】
しかしながら、実際には、ミリ波送信装置を構成する部品、例えば増幅回路などでは利得などの性能のバラツキが生じ、ミリ波送信装置全体としては、出力する信号電力に相当のバラツキが生じる。また、ミリ波送信装置各部での信号電力にバラツキが生じると、出力信号に現れる非線形歪みが増加する。
【０００６】
こうした問題は、ミリ波送信装置を構成する部品性能の品質管理や、出荷段階における検査・調整を、厳しく行うことによって改善することが考えられる。しかし、このような対策では、製造時の工数の増加や歩留まりの低下によって、装置のコストアップを招き、ミリ波送受信システムを安価に構築できなくなってしまう。
【０００７】
また、温度による性能変化に対しては、許容偏差を見込んだ回路設計が必要となるが、特に、現在のミリ波デバイスの性能においては、前述のようなレベル偏差に対応して十分なマージンをもたせて動作させる設計が困難であり、例えば増幅回路においては、入力される信号の電力をなるべく狭い範囲に設定して設計することが望ましいことから、ミリ波送受信システムにおいては、許容偏差を見込んだ回路設計は極めて難しい。
【０００８】
一方、放送信号の伝送系で信号レベルのバラツキを小さくする方法としては、その信号の伝送路に設けられた増幅回路の利得を、その信号の信号レベルを基に自動調整する方法が知られている。
しかしながら、本発明に係るミリ波送受信システムにおいては、伝送すべき信号が放送信号であり、その信号レベルは、放送内容によって変動するため、放送信号の信号レベルを用いて増幅回路の利得を自動調整するには回路構成が複雑になってしまう。
【０００９】
また、このような複雑な回路を用いて増幅回路の利得を自動調整するようにしたとしても、気象条件などによって放送受信アンテナにて受信された放送信号自体の信号レベルが低下した場合には、増幅回路の自動利得調整によって放送信号の信号レベルは改善できても、受信信号のＣＮ比を改善できないため、結果として大きな効果がなく、消費電力の増加のみが生じてしまう。
【００１０】
本発明は、こうした問題に鑑みなされたもので、放送受信アンテナにて受信された放送信号を一旦ミリ波帯に周波数変換して端末側に無線伝送するミリ波送受信システムにおいて、ミリ波送信装置内での放送信号の信号レベルを、放送信号を用いることなく安定化させることによって、システムのコストアップを招くことなく放送信号の伝送品質を向上することを目的とする。
【００１１】
【課題を解決するための手段】
かかる目的を達成するためになされた請求項１記載のミリ波送受信システムは、放送電波を受信する放送受信アンテナと、この放送受信アンテナに伝送線を介して接続され、放送受信アンテナから出力された放送信号を第１増幅回路にて増幅した後、ミリ波帯へアップコンバートし、そのアップコンバート後のミリ波信号をミリ波送信アンテナから放射するミリ波送信装置と、ミリ波送信アンテナからの送信電波をミリ波受信アンテナにて受信し、その受信信号をダウンコンバートすることにより放送受信アンテナから出力された元の放送信号を復元し、その復元した放送信号を受信端末側に出力するミリ波受信装置と、放送信号とほぼ同じ周波数帯で一定周波数のパイロット信号を発生し、そのパイロット信号を、放送受信アンテナ内部またはこの放送受信アンテナからミリ波送信装置に至る伝送路で放送信号に重畳するパイロット信号発生手段とを備え、しかも、ミリ波送信装置には、放送信号に重畳されたパイロット信号の信号レベルに基づき第１増幅回路の利得を自動調整する利得調整手段を設けたことを特徴とする。
【００１２】
このように、請求項１記載のミリ波送受信システムにおいては、放送受信アンテナからミリ波送信装置には、伝送線を介して放送信号を伝送し、ミリ波送信装置側では、放送信号に重畳されたパイロット信号の信号レベルに基づき、第１増幅回路の利得を自動調整するようにされている。
【００１３】
このため、放送受信アンテナとミリ波送信装置とを接続する伝送線の伝送特性やミリ波送信装置を構成する部品性能にバラツキがあっても、ミリ波送信装置内でアップコンバートされる前の放送信号の信号レベルを、パイロット信号の信号レベルに基づき適正レベルに自動調整することが可能となり、従来のように放送信号を用いることなくミリ波送信装置内での放送信号の信号レベルを安定化させることができる。よって、本発明によれば、システムのコストアップを招くことなく放送信号の伝送品質を向上することが可能となる。
【００１４】
ところで、本発明のミリ波送受信システムでは、ミリ波を無線伝送するため、その伝送路となるミリ波送信装置とミリ波受信装置との間の空間の距離によって、ミリ波受信装置側での受信信号の信号レベルが大きく変化する。そして、このようにミリ波受信装置での受信信号の信号レベルが変化すると、その変化に応じて、ミリ波受信装置でダウンコンバートされて受信端末に入力される放送信号の信号レベルにもバラツキが生じる。
【００１５】
このように受信端末への放送信号の入力レベルにバラツキが生じても、そのバラツキが、受信端末のダイナミックレンジで吸収できる程度の小さなものであればよいが、ミリ波受信装置を構成する部品の性能のバラツキや温度変化に対する性能の変化によっては、受信端末への放送信号の入力レベルが受信端末のダイナミックレンジで吸収できない程大きなバラツキを生じることも考えられる。そして、このようなバラツキがあると、受信端末側で、その放送信号から音声や映像を正常に再生できなくなってしまう。
【００１６】
そこで、請求項２に記載のように、上記利得調整手段をミリ波受信装置にも設け、この利得調整手段により、ミリ波受信装置においてダウンコンバート後の放送信号を増幅するのに使用される第２増幅回路の利得を、ダウンコンバート後の放送信号に重畳されたパイロット信号の信号レベルに基づき自動調整するように構成するとよい。
【００１７】
つまり、このようにすれば、ミリ波受信装置にてダウンコンバートされて受信端末側に出力される放送信号の信号レベルについても適正レベルに自動調整することができるようになり、受信端末への放送信号の入力レベルを安定化させて、受信端末側で放送信号を良好に再生させることが可能となる。
【００１８】
また、本発明のミリ波送受信システムにおいて、放送信号の伝送品質を向上するには、ミリ波送信装置とミリ波受信装置との間の伝送空間で生じるミリ波の伝送ロスを少なくすることが重要であり、このためには、ミリ波受信装置に設けられるミリ波受信アンテナを、ミリ波送信装置のミリ波送信アンテナに向くように設置する必要がある。
【００１９】
つまり、ミリ波受信アンテナは、受信信号レベルを確保するために、指向特性が鋭く設定されており、ミリ波受信アンテナの向きがミリ波送信アンテナからずれると受信信号レベルが低下するので、ミリ波受信アンテナを設置する際には、ミリ波受信アンテナがミリ波送信アンテナからの電波を適正レベルで受信できるように、ミリ波受信アンテナの向きを調整する必要がある。
【００２０】
このため、従来、ミリ波受信アンテナを設置する際には、レベルチェッカなどを用いてミリ波受信装置から出力される放送信号の信号レベルを測定しながらアンテナ方向を調整するか、あるいは、ミリ波受信装置を受信端末に接続して放送信号を再生させ、その再生状態を確認しながらアンテナ方向を調整することが行われているが、レベルチェッカなどの機器を持ち合わせていない使用者がミリ波受信アンテナのアンテナ方向を調整するには、ミリ波受信装置に受信端末を接続して放送信号を再生させるしかなく、その調整作業がきわめて面倒であった。
【００２１】
しかし、本発明では、放送信号に加えてパイロット信号がミリ波送信装置からミリ波受信装置に無線伝送されることから、請求項３に記載のように、ミリ波受信装置に、ダウンコンバート後の放送信号に重畳されたパイロット信号の信号レベルを報知する報知手段を設けるようにすれば、使用者は、その報知手段による報知状態を確認しつつミリ波受信アンテナの方向調整を行うことによって、ミリ波受信アンテナの設置作業（つまり方向調整）をきわめて簡単に行うことができる。
【００２２】
なお、報知手段としては、例えば、パイロット信号を検波して、検波後の信号レベル（電圧レベル）をＬＥＤなどを使って表示するようにしてもよく、あるいは、その電圧レベルに応じて変化する音を発生するようにしてもよい。
また、報知手段がパイロット信号の信号レベルを表示または音によって報知する際には、必ずしもダウンコンバート後のパイロット信号を利用する必要はなく、請求項２に記載のミリ波送受信システムのように、ミリ波受信装置内に増幅回路（詳しくは第２増幅回路）の利得を自動調整する利得調整手段が設けられている場合には、利得調整手段がパイロット信号の信号レベルに応じて生成する利得調整用の制御信号を利用するようにしてもよい。
【００２３】
また次に、本発明において、パイロット信号は、ミリ波送信装置内でのアップコンバート前の放送信号の信号レベルを安定化させるためのものであるため、放送信号と同様に信号レベルが変化するように、放送受信アンテナから放送信号と一緒に出力できるようにすることが望ましく、そのためには、パイロット信号発生手段を、放送受信アンテナに内蔵させるとよい。
【００２４】
そして、請求項４に記載のミリ波送受信システムのように、放送受信アンテナが、衛星放送の放送電波を受信してその受信信号をコンバータにて中間周波信号（ＢＳ／ＣＳ−ＩＦ信号）に周波数変換して出力する衛星放送受信アンテナである場合には、その衛星放送受信アンテナのコンバータに内蔵するようにするとよい。このようにすることにより、放送受信アンテナとミリ波送信装置とを接続する伝送線の伝送特性やミリ波送信装置を構成する部品性能にバラツキがあっても、ミリ波送信装置内でアップコンバートされる前の放送信号の信号レベルを、パイロット信号の信号レベルに基づき適正レベルに自動調整することが可能となる。
【００２５】
また、放送受信アンテナとミリ波送信装置とを接続する伝送線の伝送特性が予想可能である場合（例えば伝送線の距離が短い場合）は、請求項５記載のミリ波送受信システムのように、パイロット信号発生手段をミリ波送信装置に内蔵して、パイロット信号発生手段が発生したパイロット信号を第１増幅回路にて増幅される前の放送信号に重畳するようにしても同様の効果が得られる。このようにすることにより、放送受信アンテナにパイロット信号発生手段を有しない市販品を使用することができるので、システムのコストアップを招くことなく、ミリ波送信装置内でアップコンバートされる前の放送信号の信号レベルを、パイロット信号の信号レベルに基づき適正レベルに自動調整することが可能となる。
【００２６】
また更に、請求項６に記載のミリ波送受信システムのように、ミリ波送信装置及びミリ波受信装置の少なくとも一方、より好ましくはその両方を、放送信号に重畳されたパイロット信号を用いて、アップコンバート又はダウンコンバートに用いる信号の周波数を安定化させるように構成すれば、その装置での周波数変換（アップコンバート、ダウンコンバート）を精度よく実行させることができる。
【００２７】
一方、請求項７に記載の発明は、放送電波を受信する放送受信アンテナから伝送線を介して伝送されてくる放送信号を第１増幅回路にて増幅した後、ミリ波帯へアップコンバートし、アップコンバート後の信号をミリ波送信アンテナから放射するミリ波送信装置であって、放送信号に重畳されたパイロット信号の信号レベルに基づき第１増幅回路の利得を自動調整する利得調整手段を備えたことを特徴とする。
【００２８】
したがって、この請求項７に記載のミリ波送信装置を用いれば、請求項１記載のミリ波送受信システムを構築できることになり、請求項１と同様の効果を得ることができる。
次に、請求項８に記載のミリ波送信装置は、請求項７に記載のミリ波送信装置において、放送信号とほぼ同じ周波数帯で一定周波数のパイロット信号を発生し、そのパイロット信号を第１増幅回路にて増幅される前の放送信号に重畳するパイロット信号発生手段を備えたことを特徴とする。
【００２９】
したがって、この請求項８に記載のミリ波送信装置を用いれば、請求項５に記載のミリ波送受信システムを構築できることになり、請求項５と同様の効果を得ることができる。
また、請求項９に記載のミリ波送信装置は、請求項７又は請求項８記載のミリ波送信装置において、放送信号に重畳されたパイロット信号を用いて、アップコンバートに用いる信号の周波数を安定化させる周波数安定化手段を備えたことを特徴とする。
【００３０】
したがって、この請求項９に記載のミリ波送信装置を用いれば、請求項６に記載のミリ波送受信システムを構築できることになり、請求項６と同様の効果を得ることができる。
また、請求項１０に記載の発明は、放送電波を受信する放送受信アンテナから出力された放送信号をミリ波帯へアップコンバートして無線送信するミリ波送信装置からの送信電波を、ミリ波受信アンテナにて受信し、その受信信号をダウンコンバートすることにより、放送受信アンテナから出力された元の放送信号を復元し、その復元した放送信号を第２増幅回路にて増幅して受信端末側に出力するミリ波受信装置であって、放送信号に重畳されたパイロット信号の信号レベルに基づき第２増幅回路の利得を自動調整する利得調整手段を備えたことを特徴とする。
【００３１】
したがって、この請求項１０に記載のミリ波受信装置を用いれば、請求項２に記載のミリ波送受信システムを構築できることになり、請求項２と同様の効果を得ることができる。
また次に、請求項１１に記載の発明は、放送電波を受信する放送受信アンテナから出力された放送信号をミリ波帯へアップコンバートして無線送信するミリ波送信装置からの送信電波を、ミリ波受信アンテナにて受信し、その受信信号をダウンコンバートすることにより、放送受信アンテナから出力された元の放送信号を復元して受信端末側に出力するミリ波受信装置であって、放送信号に重畳されたパイロット信号の信号レベルを報知する報知手段を備えたことを特徴とする。
【００３２】
したがって、この請求項１１に記載のミリ波受信装置を用いれば、請求項３に記載のミリ波送受信システムを構築できることになり、請求項３と同様の効果を得ることができる。
また、請求項１２に記載の発明は、放送電波を受信する放送受信アンテナから出力された放送信号をミリ波帯へアップコンバートして無線送信するミリ波送信装置からの送信電波を、ミリ波受信アンテナにて受信し、その受信信号をダウンコンバートすることにより、放送受信アンテナから出力された元の放送信号を復元して受信端末側に出力するミリ波受信装置であって、放送信号に重畳されたパイロット信号を用いて、ダウンコンバートに用いる信号の周波数を安定化させる周波数安定化手段を備えたことを特徴とする。
【００３３】
したがって、この請求項１２に記載のミリ波受信装置を用いれば、請求項６に記載のミリ波送受信システムを構築できることになり、請求項６と同様の効果を得ることができる。
また更に、請求項１３に記載の発明は、衛星放送の放送電波を受信し、その受信信号をコンバータにて中間周波信号に変換して出力する衛星放送受信アンテナであって、コンバータには、当該衛星放送受信アンテナから出力される中間周波信号とほぼ同じ周波数帯で一定周波数のパイロット信号を発生してそのパイロット信号を中間周波信号に重畳するパイロット信号発生手段が内蔵されていることを特徴とする。
【００３４】
したがって、この請求項１３に記載の衛星放送受信アンテナを用いれば、請求項４に記載のミリ波送受信システムを構築できることになり、請求項４と同様の効果を得ることができる。
【００３５】
【発明の実施の形態】
以下に、本発明の実施形態を図面と共に説明する。
図１は、本発明が適用された実施例のミリ波送受信システム全体の構成を表すブロック図である。
【００３６】
図１に示すように、本実施例のミリ波送受信システムは、集合住宅などの屋上に設置されたＢＳ／ＣＳアンテナ２からの出力を、集合住宅内の各家庭に無線にて配信するものであり、ＢＳ／ＣＳアンテナ２が設置された屋上付近に設けられたミリ波送信装置３０と、各家庭でミリ波送信装置３０を見渡せる位置（例えばベランダなど）に設置された複数のミリ波受信装置５０とを備える。
【００３７】
ＢＳ／ＣＳアンテナ２は、反射鏡２ａと、支持腕を介して反射鏡２ａの焦点位置に配置された受信ユニット２ｂとからなり、放送／通信衛星（ＢＳ／ＣＳ）からの送信電波を受信して、その受信信号（周波数：例えば１１．７ＧＨｚ〜１２．７５ＧＨｚ）を、受信ユニット２ｂに内蔵されたコンバータ２０（図２参照）によって、受信信号よりも低い所定周波数帯（例えば、１０３２〜２０７１ＭＨｚ）の中間周波信号（ＢＳ／ＣＳ−ＩＦ信号）にダウンコンバートして出力する周知のものであり、本発明の放送受信アンテナ（詳しくは衛星放送受信アンテナ）に相当する。
【００３８】
そして、このＢＳ／ＣＳアンテナ２から出力されるＢＳ／ＣＳ−ＩＦ信号（つまり放送信号）は、同軸ケーブルからなる伝送線Ｌ１を介してミリ波送信装置３０に入力され、ミリ波送信装置３０は、その入力されたＢＳ／ＣＳ−ＩＦ信号を、ミリ波帯（本実施例では６０ＧＨｚ帯）にアップコンバートして、ミリ波送信アンテナ４０から放射する。
【００３９】
また、ＢＳ／ＣＳアンテナ２とミリ波送信装置３０とを接続する伝送線Ｌ１上には、ＢＳ／ＣＳアンテナ２の受信ユニット２ｂ（詳しくはコンバータ２０）とミリ波送信装置３０とに電源を供給するための電源挿入器１２が設けられており、ＢＳ／ＣＳアンテナ２の受信ユニット２ｂ（詳しくはコンバータ２０）およびミリ波送信装置３０には、この電源挿入器１２および伝送線Ｌ１を介して、電源装置１４から出力される直流の電源電圧（例えば、ＤＣ１５Ｖ）が供給される。
【００４０】
一方、ミリ波受信装置５０は、ミリ波送信アンテナ４０からの送信電波（ミリ波）を、ミリ波受信アンテナ５１で受信し、その受信信号をダウンコンバートすることにより、ＢＳ／ＣＳアンテナ２が出力した元のＢＳ／ＣＳ−ＩＦ信号を復元し、同軸ケーブルからなる伝送線Ｌ２を介して、対応する部屋に設置されたＢＳ／ＣＳチューナ１８などのＢＳ／ＣＳ受信端末に出力する。
【００４１】
また、ＢＳ／ＣＳチューナ１８などのＢＳ／ＣＳ受信端末は、同軸ケーブルを介してＢＳ／ＣＳアンテナに直接、電源を供給できるようにするために、伝送線Ｌ２が接続される受信信号の入力端子から電源電圧（例えば、ＤＣ１５Ｖ）を出力できるようになっているので、本実施例では、ミリ波受信装置５０が、ＢＳ／ＣＳチューナ１８などのＢＳ／ＣＳ受信端末から伝送線Ｌ２を介して電源供給を受けて動作するようにされている。
【００４２】
次に、図２は、ＢＳ／ＣＳアンテナ２の受信ユニット２ｂに内蔵されたコンバータ２０、ミリ波送信装置３０、及び、ミリ波受信装置５０の構成を表すブロック図である。
図２に示すように、コンバータ２０は、反射鏡２ａにて集波されたＢＳ／ＣＳ放送波を受信する受信部２１と、この受信部２１からの受信信号を増幅する増幅回路２２と、受信信号を周波数変換（ダウンコンバート）するための一定周波数ｆ１（例えば、１０．６７８ＧＨｚ）の局発信号を発生する局部発振器２３と、局部発振器２３が発生した局発信号と増幅回路２２で増幅された受信信号とを混合することにより、受信信号を１〜２ＧＨｚ帯（例えば、１０３２ＭＨｚ〜２０７１ＭＨｚ）のＢＳ／ＣＳ−ＩＦ信号にダウンコンバートするミキサ２４と、ミキサ２４から出力される信号の内、ダウンコンバート後のＢＳ／ＣＳ−ＩＦ信号のみを選択的に通過させるバンドパスフィルタ（以下、ＢＰＦという）２５と、ＢＰＦ２５を通過したＢＳ／ＣＳ−ＩＦ信号を増幅する増幅回路２６とを備え、この増幅回路２６にて増幅されたＢＳ／ＣＳ−ＩＦ信号を、出力端子Ｔ０から出力するように構成されている。
【００４３】
また、コンバータ２０には、ＢＳ／ＣＳ−ＩＦ信号とほぼ同じ周波数帯で一定周波数ｆ２，ｆ３（例えば、ｆ２：９００ＭＨｚ、ｆ３：９５０ＭＨｚ）の２つのパイロット信号（ＰＩＬＯＴ）を発生するパイロット信号発生回路２８が設けられ、このパイロット信号発生回路２８が発生した２つのパイロット信号（ＰＩＬＯＴ）を、ＢＰＦ２５と増幅回路２６との間に設けられた混合器２９を介して、ダウンコンバート後のＢＳ／ＣＳ−ＩＦ信号に重畳するようにされている。
【００４４】
このため、コンバータ２０からは、ＢＳ／ＣＳ−ＩＦ信号に加えて一定周波数ｆ２，ｆ３の２つのパイロット信号（ＰＩＬＯＴ）が出力されることになる。
なお、コンバータ２０の出力端子Ｔ０と増幅回路２６との間の経路上には、電源挿入器１２を介して電源装置１４から供給された電源電圧（ＤＣ１５Ｖ）を取り出し、増幅回路２２、２６や局部発振器２３、パイロット信号発生回路２８などの電源供給が必要な内部回路に供給する電源分離フィルタ２７が設けられている。
【００４５】
一方、ミリ波送信装置３０は、コンバータ２０から出力されたＢＳ／ＣＳ−ＩＦ信号を入力するための入力端子Ｔ１と、この入力端子Ｔ１にＢＳ／ＣＳ−ＩＦ信号及びパイロット信号（ＰＩＬＯＴ）と共に供給された電源電圧（ＤＣ１５Ｖ）を取り出し、内部回路に供給する電源分離フィルタ３１と、電源分離フィルタ３１を通過したＢＳ／ＣＳ−ＩＦ信号及びパイロット信号（ＰＩＬＯＴ）の信号レベルを高周波側ほど信号レベルが高くなるように（換言すれば所謂チルト特性となるように）調整するイコライザ（ＥＱ）３２と、イコライザ３２でレベル調整されたＢＳ／ＣＳ−ＩＦ信号及びパイロット信号を増幅する増幅回路３３とを備える。
【００４６】
また、ミリ波送信装置３０には、電圧制御型の可変発振器（以下、ＶＣＯという）３４が備えられており、このＶＣＯ３４から出力される高周波信号の周波数を逓倍回路３５にて所定逓倍することにより、ＢＳ／ＣＳ−ＩＦ信号及びパイロット信号（ＰＩＬＯＴ）をミリ波帯にアップコンバートするのに必要な所定周波数ｆ５（例えば５９．０ＧＨｚ）の送信側局発信号を生成するようにされている。
【００４７】
そして、この生成された送信側局発信号は、増幅回路３３からの出力（ＢＳ／ＣＳ−ＩＦ＋ＰＩＬＯＴ）と共にミキサ３７に入力され、このミキサ３７にてこれら各信号が混合されることにより、ＢＳ／ＣＳ−ＩＦ信号及びパイロット信号（ＰＩＬＯＴ）がミリ波帯（例えば６０ＧＨｚ帯）にアップコンバートされる。
【００４８】
また、アップコンバートされたミリ波帯の信号（ＢＳ／ＣＳ−ＩＦ＋ＰＩＬＯＴ）は、その信号のみを選択的に通過させるＢＰＦ３８を介して、ミリ波用の増幅回路３９に入力され、この増幅回路３９にてさらに増幅された後、ミリ波送信アンテナ４０からミリ波受信装置５０に向けて再送信される。
【００４９】
また、増幅回路３３とミキサ３７との間の伝送路には、増幅回路３３から出力されるアップコンバート前の信号（ＢＳ／ＣＳ−ＩＦ＋ＰＩＬＯＴ）の一部を分岐させる分岐回路４１が設けられている。そして、この分岐回路４１にて分岐された信号（ＢＳ／ＣＳ−ＩＦ＋ＰＩＬＯＴ）の内、周波数ｆ２、ｆ３の２つのパイロット信号（ＰＩＬＯＴ）は、ＢＰＦ４２を介して、基準信号生成回路４３に入力され、更に、周波数ｆ２のパイロット信号（ＰＩＬＯＴ）は、ＢＰＦ４５を介して、ＡＧＣ回路（自動利得調整回路）４６にも入力される。
【００５０】
ここで、ＡＧＣ回路４６は、本発明の利得調整手段に相当するものであり、ＢＰＦ４５を介して入力された周波数ｆ２のパイロット信号（ＰＩＬＯＴ）の信号レベルに基づき、この信号レベルが予め設定された規定レベルとなるように増幅回路３９の利得を調整する。
【００５１】
この結果、増幅回路３９からミキサ３７に出力されるＢＳ／ＣＳ−ＩＦ信号とパイロット信号（ＰＩＬＯＴ）の信号レベルは、コンバータ２０内の増幅回路２６からミリ波送信装置３０内の増幅回路３３に至る伝送系を構成する部品の性能のバラツキや温度変化に対する性能の変化の影響を受けることなく、常に一定レベルとなり、当該ミリ波送信装置３０からミリ波受信装置５０に無線送信される再送信波の特性を安定化させることができる。
【００５２】
一方、基準信号生成回路４３は、ＢＰＦ４２を介して入力された２つのパイロット信号（ＰＩＬＯＴ）から、これら各パイロット信号（ＰＩＬＯＴ）の周波数ｆ２、ｆ３の差の周波数ｆ４（ｆ４＝ｆ３−ｆ２：例えば、５０ＭＨｚ）を有する基準信号を生成するものである。そして、基準信号生成回路４３にて生成された周波数ｆ４の基準信号は、ＰＬＬ回路４４に入力される。
【００５３】
また、このＰＬＬ回路４４は、送信側局発信号の周波数ｆ５を一定にするためのものであり、ＶＣＯ３４から逓倍回路３５に出力される高周波信号を取り込み、この高周波信号と基準信号との位相を比較して、各信号の位相が一致するようにＶＣＯ３４の発振周波数を制御する。
【００５４】
したがって、このＰＬＬ回路４４及びＶＣＯ３４は、本発明の周波数安定化手段に相当するものであり、ミリ波送信装置３０にてアップコンバートされ、ミリ波受信装置５０側に送信される信号（ＢＳ／ＣＳ−ＩＦ＋ＰＩＬＯＴ）は、信号レベルに加えて周波数が安定することになり、ミリ波送信装置３０からは安定したＢＳ／ＣＳ−ＩＦ信号が送信されることになる。
【００５５】
一方、ミリ波受信装置５０には、ミリ波受信アンテナ５１からの受信信号（ミリ波）を増幅するミリ波用の増幅回路５２と、ＶＣＯ５３と、このＶＣＯ５３から出力される高周波信号の周波数を所定逓倍することにより、受信信号をダウンコンバートするのに必要な受信側局発信号を生成する逓倍回路５４と、この逓倍回路５４から出力される受信側局発信号と増幅回路５２で増幅された受信信号とを混合することにより受信信号をダウンコンバートするミキサ５５とが備えられている。
【００５６】
なお、逓倍回路５４は、ミリ波送信装置３０の逓倍回路３５と同一構成にされており、ＶＣＯ５３から逓倍回路５４に入力される高周波信号は、後述するＰＬＬ回路６４の動作によって、ミリ波送信装置３０側の逓倍回路３５に入力される高周波信号と同一周波数に制御されている。
【００５７】
この結果、ミキサ５５に入力される受信側局発信号の周波数は、送信側局発信号と同一周波数ｆ５（例えば５９．０ＧＨｚ）となり、ミリ波送信装置３０から送信されたミリ波のＢＳ／ＣＳ−ＩＦ信号及びパイロット信号（ＰＩＬＯＴ）は、ミキサ５５にて、ミリ波送信装置３０側でアップコンバートされる前の元の周波数に復元されることになる。
【００５８】
次に、ミキサ５５にてダウンコンバートされた受信信号は、ダウンコンバート後のＢＳ／ＣＳ−ＩＦ信号及びパイロット信号（ＰＩＬＯＴ）のみを選択的に通過させるＢＰＦ５６を介して、増幅回路５７に出力され、この増幅回路５７にて所定レベルまで増幅された後、イコライザ５８に入力される。
【００５９】
そして、このイコライザ５８に入力されたＢＳ／ＣＳ−ＩＦ信号及びパイロット信号（ＰＩＬＯＴ）は、イコライザ５８にて、帯域内の信号レベルがチルト特性となるようにレベル調整された後、ＢＳ／ＣＳ−ＩＦ信号及びパイロット信号（ＰＩＬＯＴ）を通過させ、ＢＳ／ＣＳ−ＩＦ信号よりも低周波の信号の通過を阻止するハイパスフィルタ（以下、ＨＰＦという）５９を介して、出力端子Ｔ３まで伝送され、出力端子Ｔ３から各部屋のＢＳ／ＣＳチューナ１８（もしくは他のＢＳ／ＣＳ受信端末）へと出力される。
【００６０】
また、出力端子Ｔ３には、ＢＳ／ＣＳチューナ１８（もしくは他のＢＳ／ＣＳ受信端末）から供給される電源電圧（ＤＣ１５Ｖ）が入力されることから、ＨＰＦ５９と出力端子Ｔ３との間の伝送路には、電源電圧（ＤＣ１５Ｖ）を取り出し、ミリ波受信装置５０の内部回路に電源を供給する電源分離フィルタ６０が設けられている。
【００６１】
また次に、増幅回路５７とイコライザ５８との間の伝送路には、増幅回路５７から出力されたダウンコンバート後の信号（ＢＳ／ＣＳ−ＩＦ＋ＰＩＬＯＴ）の一部を分岐させる分岐回路６１が設けられている。そして、この分岐回路６１にて分岐された信号（ＢＳ／ＣＳ−ＩＦ＋ＰＩＬＯＴ）の内、周波数ｆ２、ｆ３の２つのパイロット信号（ＰＩＬＯＴ）は、ＢＰＦ６２を介して、基準信号生成回路６３に入力され、更に、周波数ｆ２のパイロット信号（ＰＩＬＯＴ）は、ＢＰＦ６５を介して、ＡＧＣ回路（自動利得調整回路）６６にも入力される。
【００６２】
このＡＧＣ回路６６は、ミリ波送信装置３０側のＡＧＣ回路４６と同様、本発明の利得調整手段に相当するものであり、ＢＰＦ６５を介して入力された周波数ｆ２のパイロット信号（ＰＩＬＯＴ）の信号レベルに基づき、この信号レベルが予め設定された規定レベルとなるように増幅回路５７の利得を調整する。
【００６３】
この結果、増幅回路５７から出力されるＢＳ／ＣＳ−ＩＦ信号及びパイロット信号（ＰＩＬＯＴ）の信号レベルは、ミリ波送信装置３０とミリ波受信装置５０との間の空間距離や、ミリ波受信装置５０内のミリ波受信アンテナ５１から増幅回路５７に至る伝送系を構成する部品の性能のバラツキもしくは温度変化に対する性能の変化、の影響を受けることなく、常に一定レベルとなり、当該ミリ波受信装置５０からＢＳ／ＣＳチューナ１８などのＢＳ／ＣＳ受信端末に伝送されるＢＳ／ＣＳ−ＩＦ信号の信号レベルを安定化させることができる。
【００６４】
また、基準信号生成回路６３は、ミリ波送信装置３０側の基準信号生成回路４３と同様、ＢＰＦ６２を介して入力された２つのパイロット信号（ＰＩＬＯＴ）から、これら各パイロット信号（ＰＩＬＯＴ）の周波数ｆ２、ｆ３の差の周波数ｆ４（ｆ４＝ｆ３−ｆ２：例えば、５０ＭＨｚ）を有する基準信号を生成するものである。
【００６５】
そして、基準信号生成回路６３にて生成された周波数ｆ４の基準信号は、ＰＬＬ回路６４に入力され、ＰＬＬ回路６４は、ＶＣＯ５３から逓倍回路５４に出力される高周波信号を取り込み、この高周波信号と基準信号との位相を比較して、各信号の位相が一致するようにＶＣＯ５３の発振周波数を制御することにより、受信側局発信号の周波数ｆ５を送信側局発信号の周波数ｆ５と一致させる。
【００６６】
したがって、このＰＬＬ回路６４及びＶＣＯ５３は、本発明の周波数安定化手段に相当するものであり、ミリ波受信装置５０では、ミリ波送信装置３０から送信されてきたミリ波から、ミリ波送信装置３０側でアップコンバートされる前のＢＳ／ＣＳ−ＩＦ信号（つまりＢＳ／ＣＳアンテナ２のコンバータ２０から出力されたＢＳ／ＣＳ−ＩＦ信号）を正確に復元できる。
【００６７】
また更に、本実施例のミリ波受信装置５０には、ミリ波受信アンテナ５１が受信したミリ波の信号レベルを表示するために複数のＬＥＤを直線状に配置した表示部６８と、この表示部６８を構成するＬＥＤを、ＡＧＣ回路６６から増幅回路５７に出力される利得調整用のコントロール信号Ｖｃの電圧レベルに応じて点灯させる駆動回路６７と、この駆動回路６７の動作を外部操作によってＯＮ／ＯＦＦさせる操作スイッチ（ＳＷ）６９とが備えられている。
【００６８】
この表示部６８及び駆動回路６７は、本発明の報知手段に相当するものであり、駆動回路６７は、利得調整用のコントロール信号Ｖｃの電圧レベルに応じて、その電圧レベルが低い程（換言すればパイロット信号（ＰＩＬＯＴ）の信号レベルが高い程）、点灯させるＬＥＤの個数を増加させることによって、パイロット信号（ＰＩＬＯＴ）の信号レベル、延いては、ミリ波受信アンテナ５１が受信したミリ波の信号レベルを、所謂レベルメータのように表示する。
【００６９】
したがって、本実施例のミリ波受信装置５０を設置する際は、操作ＳＷ６９をＯＮして駆動回路６７を動作させることにより、表示部６８に受信信号の信号レベルを表示させ、その表示状態を確認しながらミリ波受信アンテナ５１の方向調整を行えばよく、従来に比べて、アンテナ方向調整をきわめて簡単に行うことができるようになる。
【００７０】
以上説明したように、本実施例のミリ波送受信システムにおいては、ＢＳ／ＣＳアンテナ２のコンバータ２０内にパイロット信号発生回路２８を設けることによって、ＢＳ／ＣＳアンテナ２から、ＢＳ／ＣＳ−ＩＦ信号に加えてパイロット信号（ＰＩＬＯＴ）を伝送するようにし、ミリ波送信装置３０及びミリ波受信装置５０側では、アップコンバート前あるいはダウンコンバート後のＢＳ／ＣＳ−ＩＦ信号を増幅する増幅回路３３、５７の利得を、ＢＳ／ＣＳアンテナ２から出力されたパイロット信号（ＰＩＬＯＴ）の信号レベルに基づき自動調整するようにされている。
【００７１】
このため、本実施例のミリ波送受信システムによれば、ミリ波送信装置３０及びミリ波受信装置５０内でのＢＳ／ＣＳ−ＩＦ信号の信号レベルを常に一定にすることができ、当該システムでのＢＳ／ＣＳ−ＩＦ信号の伝送特性を安定化させることができる。また、こうした安定化のために、端末側に伝送すべき放送信号（つまり、放送内容によってレベルが変化するＢＳ／ＣＳ−ＩＦ信号）を利用しないので、利得調整用のＡＧＣ回路４６、６６をきわめて簡単に構成することができ、ミリ波送信装置３０及びミリ波受信装置５０（延いてはシステム）のコストアップを招くことはない。
【００７２】
また特に、本実施例では、パイロット信号を単に放送信号（ＢＳ／ＣＳ−ＩＦ信号）の信号レベルを安定化させるのに用いるのではなく、送信側局発信号と受信側局発信号との周波数を一致させたり、ミリ波受信装置５０側で受信信号の信号レベルを表示させたりするのにも利用することから、ＢＳ／ＣＳアンテナ２のコンバータ２０に組み込まれたパイロット信号発生回路２８をより有効に利用することができる。
【００７３】
以上、本発明の一実施例について説明したが、本発明は上記実施例に限定されるものではなく、種々の態様を採ることができる。
例えば、上記実施例では、送信側局発信号と受信側局発信号との周波数を一致させるために、ＢＳ／ＣＳアンテナ２側から周波数が異なる２つのパイロット信号（ＰＩＬＯＴ）を伝送し、ミリ波送信装置３０及びミリ波受信装置５０では、この２つのパイロット信号（ＰＩＬＯＴ）の周波数ｆ２，ｆ３の差から一定周波数ｆ４の基準信号を生成し、この基準信号を用いて送信側局発信号及び受信側局発信号を生成するようにしたが、ミリ波受信装置５０側でアップコンバート前のＢＳ／ＣＳ−ＩＦ信号を正確に復元させるためには、必ずしも送信側局発信号と受信側局発信号との周波数を一致させる必要はなく、例えば、ＢＳ／ＣＳアンテナ２側から周波数ｆ２の一つのパイロット信号（ＰＩＬＯＴ）だけを出力するようにしても、ミリ波受信装置５０側でアップコンバート前のＢＳ／ＣＳ−ＩＦ信号を正確に復元させることができる。
【００７４】
そして、このようにＢＳ／ＣＳアンテナ２から周波数ｆ２のパイロット信号（ＰＩＬＯＴ）とＢＳ／ＣＳ−ＩＦ信号とを出力するようにした場合には、ミリ波送信装置３０及びミリ波受信装置５０を、例えば、図３に示すように構成すればよい。
【００７５】
以下、図３に示したミリ波送信装置３０及びミリ波受信装置５０について説明する。なお、図３に示したミリ波送信装置３０及びミリ波受信装置５０は、基本的には、図２に示したものと同様の構成をしているので、以下の説明では、図２に示したものとの相違点についてのみ説明し、詳細な説明は省略する。
【００７６】
図３に示すミリ波送信装置３０は、図２に示したものから、ＶＣＯ３４、逓倍回路３５、ＢＰＦ４２、基準信号生成回路４３、ＰＬＬ回路４４を削除し、代わりに、周波数ｆ５（ここでは、例えば、アップコンバート後のＢＳ／ＣＳ−ＩＦ信号よりも周波数が高い６２ＧＨｚ）の送信側局発信号を発生してミキサ３７に供給する局部発振器４８を設けることによって構成されている。
【００７７】
したがって、このミリ波送信装置３０においては、周波数ｆ２のパイロット信号（ＰＩＬＯＴ）に基づき増幅回路３３の利得調整が行われるものの、ミキサ３７には、局部発振器４８から直接送信側局発信号が入力され、ＢＳ／ＣＳ−ＩＦ信号及びパイロット信号は、送信側局発信号を所謂アッパーローカルとして６０ＧＨｚ帯のミリ波にアップコンバートされることになる。
【００７８】
一方、図３に示すミリ波受信装置５０には、ミキサ５５からなる前段の周波数変換部に加えて、ミキサ７１からなる後段の周波数変換部が設けられている。
ミキサ５５は、図２に示したものと同様、増幅回路５２からの出力（ミリ波）を、受信側局発信号と混合することでダウンコンバートし、後段のＢＰＦ５６に出力するが、このミキサ５５には、受信側局発信号として、局部発振器７０が発生した周波数ｆ６（ここでは、送信側局発信号の周波数ｆ５よりも周波数が１．５ＧＨｚだけ高い６３．５ＧＨｚ）が入力される。
【００７９】
また、ミキサ５５にて周波数変換（ダウンコンバート）された信号は、ダウンコンバート後のＢＳ／ＣＳ−ＩＦ信号及びパイロット信号（ＰＩＬＯＴ）のみを選択的に通過させるＢＰＦ５６を介して増幅回路５７に入力されるが、この増幅回路５７からの出力（ＢＳ／ＣＳ−ＩＦ＋ＰＩＬＯＴ）は、２段目の周波数変換部となるミキサ７１に入力され、このミキサ７１にて、ＶＣＯ７８が発生した周波数ｆ７（１．５ＧＨｚ）の局発信号と混合されることにより、アップコンバート前の元の周波数にダウンコンバートされる。
【００８０】
そして、そのダウンコンバートされた信号は、ダウンコンバート後のＢＳ／ＣＳ−ＩＦ信号及びパイロット信号のみを通過させるＢＰＦ７２を介して、増幅回路７３に入力され、増幅回路７３にて増幅された後、イコライザ５８へと出力される。
【００８１】
また、この増幅回路７３とイコライザ５８との間の伝送路には、分岐回路６１が設けられており、その伝送路を流れる信号（ＢＳ／ＣＳ−ＩＦ＋ＰＩＬＯＴ）の一部が分岐される。そして、その分岐された信号は、周波数ｆ２のパイロット信号のみを通過させるＢＰＦ６５を介して、分配回路７４に入力され、分配回路７４にて、周波数ｆ２のパイロット信号（ＰＩＬＯＴ）が２分配される。
【００８２】
そして、２分配されたパイロット信号（ＰＩＬＯＴ）の一方は、ＡＧＣ回路７５に入力され、ＡＧＣ回路７５は、その入力されたパイロット信号（ＰＩＬＯＴ）に基づき、増幅回路７３の利得を自動調整する。
また、２分配されたパイロット信号（ＰＩＬＯＴ）の他方は、ＰＬＬ回路７７に入力される。そして、ＰＬＬ回路７７は、ＢＳ／ＣＳアンテナ２のコンバータ２０に内蔵されたパイロット信号発生回路２８が発生するパイロット信号（ＰＩＬＯＴ）と同じ発振周波数ｆ２の局部発振器７６からの出力と、パイロット信号（ＰＩＬＯＴ）とを位相比較し、これらの位相が一致するようにＶＣＯ７８の発振周波数を制御する。
【００８３】
つまり、図３に示したミリ波受信装置５０においては、前後２段のミキサ５５、７１を用いて、受信信号を２段階にダウンコンバートするようにされており、後段のミキサ７１に入力する周波数変換用の局発信号の周波数を、局部発振器７６が発生した周波数ｆ２の高周波信号と、ダウンコンバート後のパイロット信号（ＰＩＬＯＴ）との周波数が一致するように制御することで、ダウンコンバート後のＢＳ／ＣＳ−ＩＦ信号を、アップコンバート前のＢＳ／ＣＳ−ＩＦ信号と一致させるのである。
【００８４】
そして、この場合、ＢＳ／ＣＳアンテナ２側から端末側に伝送するパイロット信号は、周波数ｆ２の一つのパイロット信号でよいため、上記実施例のミリ波送受信システムに比べて、ＢＳ／ＣＳアンテナ２（詳しくはコンバータ２０）の構成を簡単にすることができる。また、この場合、ミリ波送信装置３０の構成も簡単にすることができる。
【００８５】
一方、上記実施例では、パイロット信号発生手段としてのパイロット信号発生回路２８は、ＢＳ／ＣＳアンテナ２のコンバータ２０に内蔵するものとして説明したが、パイロット信号発生回路２８は、コンバータ２０と電源挿入器１２との間あるいは電源挿入器１２とミリ波送信装置３０との間の伝送路である伝送線Ｌ１上に設けるようにしてもよい。
【００８６】
また、この伝送線Ｌ１の伝送特性が予想可能である場合（例えば伝送線Ｌ１の距離が短い場合）は、パイロット信号発生回路２８を、ミリ波送信装置３０に内蔵して、パイロット信号発生回路２８が発生したパイロット信号を増幅回路３３にて増幅される前のＢＳ／ＣＳ−ＩＦ信号に重畳するようにしてもよい。
【００８７】
また、上記実施例では、ＢＳ／ＣＳアンテナ２から出力されるＢＳ／ＣＳ−ＩＦ信号をミリ波帯に変換して再送信するシステムについて説明したが、本発明は、所望の放送信号をミリ波帯にアップコンバートして無線送信するシステムであれば、どのようなシステムであっても適用できる。
【図面の簡単な説明】
【図１】実施例のミリ波送受信システム全体の構成を表す構成図である。
【図２】ＢＳ／ＣＳアンテナのコンバータ、ミリ波送信装置、及びミリ波受信装置の構成を表すブロック図である。
【図３】ミリ波送信装置及びミリ波受信装置の他の構成例を表すブロック図である。
【符号の説明】
２…ＢＳ／ＣＳアンテナ、１８…ＢＳ／ＣＳチューナ、２０…コンバータ、２１…受信部、３０…ミリ波送信装置、５０…ミリ波受信装置、４０…ミリ波送信アンテナ、５１…ミリ波受信アンテナ、２２，２６，３３，３９，５２，５７，７３…増幅回路、２３，４８，７０，７６…局部発振器、２４，３７，５４，５５，７１…ミキサ、２５，３８，４２，４５，５６，６２，６５…ＢＰＦ、２７，３１，６０…電源分離フィルタ、２８…パイロット信号発生回路、２９…混合器、３２，５８…イコライザ、３４，５３…ＶＣＯ、３５，５４…逓倍回路、４１，６１…分岐回路、４３，６３…基準信号生成回路、４４，６４，７７…ＰＬＬ回路、４６，６６，７５…ＡＧＣ回路、６７…駆動回路、６８…表示部、７４…分配回路、Ｌ１，Ｌ２…伝送線。
【図１】
2004235758.tif 000003
【図２】
2004235758.tif 000004
【図３】
2004235758.tif 000005